【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
活性物質送達構成要素を備えている後部脊椎固定装置又は動的脊椎安定化装置において、前記活性物質送達構成要素は、活性物質が、中に吸収されるか、上に吸着されるか、又は別のやり方で中に入れられており、且つ、前記装置が患者に植え込まれた後で、前記活性物質を局所的に放出するように作られている、装置。
【請求項２】
前記装置は、隣接する棘突起の間に、隣接する横突起の間に、又は他の後部椎骨要素の間に、設置するように作られている動的安定化装置である、請求項１に記載の装置。
【請求項３】
前記装置は、棘突起間動的安定化装置又は棘突起固定装置である、請求項１に記載の装置。
【請求項４】
前記装置は、横突起間動的安定化装置である、請求項１に記載の装置。
【請求項５】
前記装置は、アンカーを基にした安定化又は固定システムである、請求項１に記載の装置。
【請求項６】
前記装置は、脊椎安定化を提供するように作られている少なくとも１つの構造的構成要素を備えており、前記構造的構成要素の少なくとも１つの少なくとも一部は、前記活性物質が、中に含浸されるか又は上に吸着されている、請求項１に記載の装置。
【請求項７】
前記装置は、外鞘内に入れられた内部構造構成要素を備えており、前記外鞘は、前記活性物質が中に含浸されるか又は上に吸着されている吸収性又は吸着性又は生物分解性の材料を備えている、請求項６に記載の装置。
【請求項８】
前記装置は、脊椎安定化を提供するように作られている少なくとも１つの構造的構成要素と、前記構造的構成要素に保持されている少なくとも１つの活性物質送達構成要素と、を備えている、請求項１に記載の装置。
【請求項９】
前記装置は、外鞘内に入れられた内部構造構成要素を備えており、前記活性物質送達構成要素は、前記内部構造構成要素と前記外鞘の間に配置された吸収性又は吸着性又は生物分解性の層を備えている、請求項８に記載の装置。
【請求項１０】
前記装置は、外面を有しており、前記活性物質送達構成要素は、前記外面の少なくとも一部に貼り付けられた活性物質送達層を備えている、請求項８に記載の装置。
【請求項１１】
前記構造的構成要素は、少なくとも１つの孔を画定しており、前記活性物質送達構成要素は、前記孔の中に配置するように作られた挿入物である、請求項８に記載の装置。
【請求項１２】
前記挿入物は、微小精密機械を備えている、請求項１１に記載の装置。
【請求項１３】
前記活性物質は、同化剤、凝固防止剤、抗感染症薬、抗炎症薬、抗新生物薬、解熱薬、鎮痛薬、鎮痙薬、抗血栓剤、抗ヒスタミン剤、生物学的製剤、骨形成蛋白質、診断用薬、神経筋薬物、栄養剤、血管拡張剤、及びプロドラッグから成る群より選択される、請求項１に記載の装置。
【請求項１４】
前記装置を植え込んだ後で、前記装置は前記活性物質を持続放出式に放出する、請求項１に記載の装置。
【請求項１５】
前記活性物質送達構成要素は、前記活性物質が中に吸収されるか又は上に吸着されている弾性材料を備えている、請求項１に記載の装置。
【請求項１６】
前記装置は、前記装置を植え込んだ後で、或る投与量の前記活性物質を、前記活性物質送達構成要素を圧縮することにより、又は前記構成要素を引き伸ばすことにより、又は前記構成要素にトルクを掛けることにより、放出させるか又は速めた速度で放出させるように作られている、請求項１５に記載の装置。
【請求項１７】
前記装置は、棘突起間動的安定化装置であり、前記装置は、植え込んだ後で、脊柱の伸展、脊柱の屈曲、脊柱の曲げ、又は脊柱の回転の結果としての椎骨の運動によって、前記活性物質送達構成要素に、圧縮圧力、引き伸ばし、又はトルクを働かせるように作られている、請求項１６に記載の装置。
【請求項１８】
前記装置は、横突起間動的安定化装置であり、前記装置は、植え込んだ後で、脊柱の伸展、脊柱の屈曲、脊柱の曲げ、又は脊柱の回転の結果としての椎骨の運動によって、前記活性物質送達構成要素に、圧縮圧力、引き伸ばし、又はトルクを働かせるように作られている、請求項１６に記載の装置。
【請求項１９】
前記装置は、アンカーを基にした安定化又は固定システムであり、前記装置は、植え込んだ後で、脊柱の伸展、脊柱の屈曲、脊柱の曲げ、又は脊柱の回転の結果としての椎骨の運動によって、前記活性物質送達構成要素に、圧縮圧力、引き伸ばし、又はトルクを働かせるように作られている、請求項１６に記載の装置。
【請求項２０】
活性物質送達構成要素を備えている整形外科用インプラント装置において、前記活性物質送達構成要素は、前記活性物質が中に吸収されるか又は上に吸着されている弾性材料を備えており、前記装置は、患者に植え込まれた後で、前記活性物質を局所的に放出するように作られており、前記装置は、或る投与量の前記活性物質を、（ａ）前記活性物質送達構成要素を圧縮することにより、（ｂ）前記構成要素を引き伸ばすことにより、又は（ｃ）前記構成要素にトルクを掛けることにより、放出するか又は速めた速度で放出するように作られている、装置。
【請求項２１】
前記装置は、アンカーを基にした安定化又は固定システムである、請求項２０に記載の装置。
【請求項２２】
前記装置は、動的脊椎安定化装置である、請求項２０に記載の装置。
【請求項２３】
前記動的安定化装置は、隣接する棘突起、隣接する横突起、又は他の後部椎骨要素の間に設置するように作られている、請求項２２に記載の装置。
【請求項２４】
前記装置は、棘突起間動的安定化装置である、請求項２３に記載の装置。
【請求項２５】
前記装置は、植え込んだ後で、脊柱の伸展、脊柱の屈曲、脊柱の曲げ、又は脊柱の回転の結果としての椎骨の運動によって、前記活性物質送達構成要素に、圧縮圧力、引き伸ばし、又はトルクを働かせて、前記装置に、或る投与量の前記活性物質を放出させるか又は速めた速度で放出させるように作られている、請求項２４に記載の装置。
【請求項２６】
前記装置は、アンカーを基にする安定化又は固定システムである、請求項２３に記載の装置。
【請求項２７】
前記装置は、棘突起間動的安定化装置である、請求項２３に記載の装置。
【請求項２８】
前記装置は、植え込んだ後で、脊柱の伸展、脊柱の屈曲、脊柱の曲げ、又は脊柱の回転の結果としての椎骨の運動によって、前記活性物質送達構成要素に、圧縮圧力、引き伸ばし、又はトルクを働かせるように作られている、請求項２７に記載の装置。
【請求項２９】
前記装置は、動的脊椎安定化を提供するように作られている少なくとも１つの構造的構成要素と、前記構造的構成要素により保持される少なくとも１つの活性物質送達構成要素を備えている、請求項２２に記載の装置。
【請求項３０】
前記構造的構成要素の少なくとも１つの少なくとも一部分は、前記活性物質が中に含浸されるか又は上に吸着されている、請求項２２に記載の装置。
【請求項３１】
前記装置は、外鞘内に配置されている内部構造構成要素を備えており、前記外鞘は、前記活性物質が中に含浸されるか又は上に吸着されている吸収性又は吸着性又は生物分解性の材料を備えている、請求項３０に記載の装置。
【請求項３２】
前記装置は、外鞘内に配置されている内部構造構成要素を備えており、前記活性物質送達構成要素は、前期内部構造構成要素と前期外鞘の間に配置された吸収性又は吸着性又は生物分解性の層を備えている、請求項２９に記載の装置。
【請求項３３】
前記装置は、外面を有しており、前記活性物質送達構成要素は、前記外面の少なくとも一部に貼り付けられた活性物質送達層を備えている、請求項２９に記載の装置。
【請求項３４】
前記少なくとも１つの構造的構成要素は、少なくとも１つの孔を画定しており、前記活性物質送達構成要素は、前記孔の中に配置するように作られた挿入物である、請求項２９に記載の装置。
【請求項３５】
前記挿入物は、微小精密機械を備えている、請求項３４に記載の装置。
【請求項３６】
前記活性物質は、同化剤、凝固防止剤、抗感染症薬、抗炎症薬、抗新生物薬、解熱薬、鎮痛薬、鎮痙薬、抗血栓剤、抗ヒスタミン剤、生物学的製剤、骨形成蛋白質、診断用薬、神経筋薬物、栄養剤、血管拡張剤、及びプロドラッグから成る群より選択される、請求項２２に記載の装置。
【請求項３７】
前記装置を植え込んだ後で、前記装置は、前記活性物質を持続放出式に放出する、請求項２２に記載の装置。
【請求項３８】
隣接する骨部分に沿って前記骨部分の間の空間の外側に配置することができる骨安定化部材と、活性物質送達構成要素と、を備えている整形外科用インプラント装置において、前記装置は、患者に植え込まれた後で、前記活性物質を局所的に放出するように作られている、装置。